(57)【特許請求の範囲】
【請求項１】
所定のネットワークを介してユーザーの受信装置にコンテンツの付加情報を提供するコンテンツ付加情報提供システムであって、
前記所定のネットワークを介して前記受信装置と接続して、前記コンテンツを前記受信装置へと配信するコンテンツ配信部と、
前記所定のネットワークを介して前記受信装置と接続して、前記コンテンツの任意のシーン毎に対応していて簡易情報及び詳細情報を含む前記付加情報を、前記コンテンツ配信部による前記コンテンツの配信から独立して前記受信装置へと配信する付加情報配信部と、を備え、
前記受信装置は、前記コンテンツ配信部から配信される前記コンテンツを出力させるコンテンツ出力制御部と、
前記付加情報配信部から配信される前記付加情報を付加情報表示画面に表示させる付加情報表示制御部と、を備え、
前記付加情報表示制御部は、前記付加情報配信部から配信された１つ以上の前記付加情報の前記簡易情報を時系列順に並べて前記付加情報表示画面におけるタイムライン表示領域に簡易表示させていて、更に、前記コンテンツ出力制御部による前記コンテンツの所定のシーンの出力に同期して、該所定のシーンに対応する所定の付加情報の前記簡易情報を前記タイムライン表示領域上の現在位置に簡易表示させると共に、該所定の付加情報の前記詳細情報を前記付加情報表示画面における詳細情報表示領域に詳細表示させることを特徴とするコンテンツ付加情報提供システム。
【請求項２】
前記付加情報表示制御部は、前記タイムライン表示領域において前記付加情報を選択可能に表示すると共に、選択された前記付加情報をチェックリスト登録部に登録し、更に、前記チェックリスト登録部に登録された前記付加情報を前記付加情報表示画面におけるチェックリスト表示画面に表示可能に構成されていることを特徴とする請求項１に記載のコンテンツ付加情報提供システム。
【請求項３】
前記付加情報表示制御部は、前記コンテンツ出力制御部に対して前記コンテンツの出力操作を指示可能に構成されていて、
更に、前記付加情報表示制御部は、前記チェックリスト表示画面に表示された前記付加情報を選択可能に構成されていて、前記チェックリスト表示画面で選択された前記付加情報に対応する所定のシーンから前記コンテンツの出力を開始するように、前記コンテンツ出力制御部に対して前記コンテンツの出力操作を指示することを特徴とする請求項２に記載のコンテンツ付加情報提供システム。
【請求項４】
前記付加情報表示制御部は、前記タイムライン表示領域における前記付加情報の選択操作がされたとき、該選択操作に関する操作情報を前記付加情報配信部へと送信し、
前記付加情報配信部は、前記付加情報表示制御部から受信した前記操作情報を前記受信装置についてのログ情報として記憶することを特徴とする請求項２に記載のコンテンツ付加情報提供システム。
【請求項５】
前記付加情報表示制御部は、前記コンテンツ出力制御部に対して前記コンテンツの出力操作を指示可能に構成されていることを特徴とする請求項１又は請求項２に記載のコンテンツ付加情報提供システム。
【請求項６】
前記コンテンツ出力制御部は、前記コンテンツの出力開始時間の変更を示す出力時間変更通知を前記付加情報表示制御部へと送信可能に構成されていて、
前記付加情報表示制御部は、前記コンテンツ出力制御部から前記出力時間変更通知を受信したとき、前記コンテンツ出力制御部による前記コンテンツの出力に同期して、前記タイムライン表示領域における前記付加情報の表示を更新することを特徴とする請求項１〜請求項５の何れか１項に記載のコンテンツ付加情報提供システム。
【請求項７】
前記付加情報表示制御部は、前記付加情報の表示及び非表示を切り替え可能に構成されていることを特徴とする請求項１〜請求項６の何れか１項に記載のコンテンツ付加情報提供システム。
【請求項８】
前記付加情報配信部は、前記付加情報の使用権限を有する前記ユーザーの前記受信装置のみに対して前記付加情報の配信を許可するように構成されていることを特徴とする請求項１〜請求項７の何れか１項に記載のコンテンツ付加情報提供システム。
【請求項９】
前記付加情報配信部は、前記付加情報表示制御部の前記詳細情報表示領域に表示すべき前記詳細情報として、前記コンテンツの所定のシーンの対象物についてのリンク情報を含む前記付加情報を前記受信装置へと配信することを特徴とする請求項１〜請求項８の何れか１項に記載のコンテンツ付加情報提供システム。
【請求項１０】
前記付加情報表示制御部は、前記リンク情報を含む前記詳細情報を前記詳細情報表示領域に詳細表示した場合に、前記リンク情報についてのアクセス操作がされたとき、該アクセス操作に関する操作情報を前記付加情報配信部へと送信し、
前記付加情報配信部は、前記付加情報表示制御部から受信した前記操作情報を前記受信装置についてのログ情報として記憶することを特徴とする請求項９に記載のコンテンツ付加情報提供システム。
【請求項１１】
前記付加情報配信部は、前記コンテンツの全体情報を含む前記付加情報を前記受信装置へと配信し、
前記付加情報表示制御部は、前記付加情報配信部から配信された前記付加情報に含まれる前記全体情報を全体情報表示画面に表示可能に構成されていることを特徴とする請求項１〜請求項１０の何れか１項に記載のコンテンツ付加情報提供システム。
【請求項１２】
前記付加情報表示制御部は、前記付加情報配信部から配信された複数の前記付加情報のうち所定の分野に関する付加情報を一括情報表示領域に表示可能に構成されていることを特徴とする請求項１〜請求項１１の何れか１項に記載のコンテンツ付加情報提供システム。
【請求項１３】
前記付加情報配信部は、前記付加情報を配信するための配信ＡＰＩを備えていて、前記付加情報表示制御部からの前記配信ＡＰＩの呼出に応じて、前記付加情報を前記付加情報表示制御部へと配信することを特徴とする請求項１〜請求項１２の何れか１項に記載のコンテンツ付加情報提供システム。
【請求項１４】
前記受信装置は、前記コンテンツとして動画を表示可能なコンテンツ表示領域を有する１つの表示端末として構成され、
前記コンテンツ出力制御部及び前記付加情報表示制御部は、前記表示端末に設けられていることを特徴とする請求項１〜請求項１３の何れか１項に記載のコンテンツ付加情報提供システム。
【請求項１５】
前記受信装置は、前記コンテンツとして動画を表示可能なコンテンツ表示領域を有する第１表示端末と、前記第１表示端末と通信可能な第２表示端末とを有して構成され、
前記コンテンツ出力制御部は、前記第１表示端末に設けられ、
前記付加情報表示制御部は、第２表示端末に設けられることを特徴とする請求項１〜請求項１３の何れか１項に記載のコンテンツ付加情報提供システム。
【発明の詳細な説明】
【技術分野】
【０００１】
本発明は、コンテンツの配信に伴ってコンテンツの付加情報（メタ情報）を提供するコンテンツ付加情報提供システムに関する。
【背景技術】
【０００２】
近年、放送番組等のコンテンツは、放送波によってリアルタイムに送信されるものだけでなく、コンテンツ配信サーバからビデオ・オンデマンドでインターネット配信されるものがある。コンテンツ配信サーバは、コンテンツに番組情報等の付加情報を重畳して配信し、コンテンツを受信したパーソナルコンピュータ等の受信装置では、コンテンツを再生すると共に、付加情報を参照することができる。
【０００３】
例えば、特許文献１に記載のコンテンツの配信方法では、情報配信サーバがコンテンツをクライアント装置へと配信していて、このコンテンツには、コンテンツの内容の特徴を記述したメタ情報が作成されている。
【先行技術文献】
【特許文献】
【０００４】
【特許文献１】特開２００４−２６５２６３号公報
【発明の概要】
【発明が解決しようとする課題】
【０００５】
しかしながら、通常、コンテンツと共に配信される付加情報は、そのコンテンツの放送局などの作成者によってコンテンツの全体的な情報を示すものに過ぎず、視聴者は、コンテンツのシーン毎に対応した詳細な情報を知ることができない。
【０００６】
また、視聴者は、興味のある人物、商品などの対象物がコンテンツの所定のシーンに登場した場合には、その所定のシーンを繰り返し再生することになる。また、視聴者は、その対象物に関する情報を取得するために、コンテンツの視聴とは別にインターネット検索等の検索手段を取ることになるため手間が掛かる。
【０００７】
更に、コンテンツにおいて人物、商品等の対象物の提供者は、その対象物について視聴者に興味を持たせることを望むことが多いが、コンテンツの全体的な情報だけでは対象物の詳細な情報を視聴者に与えることができない。従って、対象物の提供者は、コンテンツでの対象物の提供以外に、その対象物を紹介する手段を取らなければならず、コスト及び負担が大きくなる。
【０００８】
そこで、本発明は上記事情を考慮し、コンテンツの提供と共に、コンテンツの各シーンに登場する対象物の詳細な情報を提供することにより、情報提供のコスト及び負担を軽減すると共に、視聴者に十分な情報を提供することを目的とする。
【課題を解決するための手段】
【０００９】
上記課題を解決するために、本発明の第１のコンテンツ付加情報提供システムは、所定のネットワークを介してユーザーの受信装置にコンテンツの付加情報を提供するコンテンツ付加情報提供システムである。そして、コンテンツ付加情報提供システムは、前記所定のネットワークを介して前記受信装置と接続して、前記コンテンツを前記受信装置へと配信するコンテンツ配信部と、前記所定のネットワークを介して前記受信装置と接続して、前記コンテンツの任意のシーン毎に対応した前記付加情報を、前記コンテンツ配信部による前記コンテンツの配信から独立して前記受信装置へと配信する付加情報配信部と、を備える。前記受信装置は、前記コンテンツ配信部から配信される前記コンテンツを出力させるコンテンツ出力制御部と、前記付加情報配信部から配信される前記付加情報を付加情報表示画面に表示させる付加情報表示制御部と、を備える。そして、前記付加情報表示制御部は、前記付加情報配信部から配信された１つ以上の前記付加情報を時系列順に並べて前記付加情報表示画面におけるタイムライン表示領域に簡易表示させていて、更に、前記コンテンツ出力制御部による前記コンテンツの所定のシーンの出力に同期して、該所定のシーンに対応する所定の付加情報を前記タイムライン表示領域上の現在位置に簡易表示させると共に、該所定の付加情報を前記付加情報表示画面における詳細情報表示領域に詳細表示させることを特徴とする。
【００１０】
本発明の第１のコンテンツ付加情報提供システムによれば、コンテンツ配信サーバ等のコンテンツ配信部でコンテンツを提供すると共に、メタ情報配信サーバ等の付加情報配信部で、コンテンツの全体的な情報に加えて、コンテンツの各シーンに登場する対象物の詳細な情報を提供することができる。このため、対象物の提供者は、簡易な手段で対象物の情報提供をすることができるので、情報提供のコスト及び負担を軽減することができる。また、視聴者は、受信装置でコンテンツを視聴しながら、付加情報表示画面でコンテンツの各シーンの対象物について詳細な情報を取得できるので、視聴者に十分な情報を提供できることになる。
【００１１】
上記課題を解決するために、本発明の第２のコンテンツ付加情報提供システムは、上述した本発明の第１のコンテンツ付加情報提供システムにおいて、前記付加情報表示制御部は、前記タイムライン表示領域において前記付加情報を選択可能に表示すると共に、選択された前記付加情報をチェックリスト登録部に登録し、更に、前記チェックリスト登録部に登録された前記付加情報を前記付加情報表示画面におけるチェックリスト表示画面に表示可能に構成されていることを特徴とする。
【００１２】
本発明の第２のコンテンツ付加情報提供システムによれば、視聴者は、コンテンツにおいて興味のあるシーンや対象物がある場合に、その付加情報を登録しておき、その後、チェックリスト表示画面で興味のある付加情報を確認することができる。
【００１３】
上記課題を解決するために、本発明の第３のコンテンツ付加情報提供システムは、上述した本発明の第２のコンテンツ付加情報提供システムにおいて、前記付加情報表示制御部は、前記コンテンツ出力制御部に対して前記コンテンツの出力操作を指示可能に構成されていて、更に、前記付加情報表示制御部は、前記チェックリスト表示画面に表示された前記付加情報を選択可能に構成されていて、前記チェックリスト表示画面で選択された前記付加情報に対応する所定のシーンから前記コンテンツの出力を開始するように、前記コンテンツ出力制御部に対して前記コンテンツの出力操作を指示することを特徴とする。
【００１４】
本発明の第３のコンテンツ付加情報提供システムによれば、視聴者は、チェックリスト表示画面で興味のある付加情報を確認したときに、その付加情報に対応するシーンを再生して再視聴することができる。
【００１５】
上記課題を解決するために、本発明の第４のコンテンツ付加情報提供システムは、上述した本発明の第２のコンテンツ付加情報提供システムにおいて、前記付加情報表示制御部は、前記タイムライン表示領域における前記付加情報の選択操作がされたとき、該選択操作に関する操作情報を前記付加情報配信部へと送信し、前記付加情報配信部は、前記付加情報表示制御部から受信した前記操作情報を前記受信装置についてのログ情報として記憶することを特徴とする。
【００１６】
本発明の第４のコンテンツ付加情報提供システムによれば、付加情報配信部では、受信装置又はそのユーザーについてのログ情報を解析して、各付加情報や各対象物に対する興味の程度を解析することができ、今後提供すべき付加情報の検討に役立てることができる。
【００１７】
上記課題を解決するために、本発明の第５のコンテンツ付加情報提供システムは、上述した本発明の第１又は第２のコンテンツ付加情報提供システムにおいて、前記付加情報表示制御部は、前記コンテンツ出力制御部に対して前記コンテンツの出力操作を指示可能に構成されていることを特徴とする。
【００１８】
本発明の第５のコンテンツ付加情報提供システムによれば、受信装置では、付加情報表示画面で表示される付加情報の操作に連動してコンテンツの出力を制御することができるので、視聴者の操作性を向上することができる。
【００１９】
上記課題を解決するために、本発明の第６のコンテンツ付加情報提供システムは、上述した本発明の第１ないし第５の何れかのコンテンツ付加情報提供システムにおいて、前記コンテンツ出力制御部は、前記コンテンツの出力開始時間の変更を示す出力時間変更通知を前記付加情報表示制御部へと送信可能に構成されていて、前記付加情報表示制御部は、前記コンテンツ出力制御部から前記出力時間変更通知を受信したとき、前記コンテンツ出力制御部による前記コンテンツの出力に同期して、前記タイムライン表示領域における前記付加情報の表示を更新することを特徴とする。
【００２０】
本発明の第６のコンテンツ付加情報提供システムによれば、受信装置の付加情報表示画面は、コンテンツ出力制御部側でのコンテンツ出力に連動して付加情報の表示をすることができるので、視聴者の操作性を向上することができる。
【００２１】
上記課題を解決するために、本発明の第７のコンテンツ付加情報提供システムは、上述した本発明の第１ないし第６の何れかのコンテンツ付加情報提供システムにおいて、前記付加情報表示制御部は、前記付加情報の表示及び非表示を切り替え可能に構成されていることを特徴とする。
【００２２】
本発明の第７のコンテンツ付加情報提供システムによれば、視聴者が付加情報を得たい場合やコンテンツの視聴に集中したい場合等の視聴者の意図によって、付加情報の表示及び非表示を切り換えることができるので、視聴者の操作性を向上することができる。
【００２３】
上記課題を解決するために、本発明の第８のコンテンツ付加情報提供システムは、上述した本発明の第１ないし第７の何れかのコンテンツ付加情報提供システムにおいて、前記付加情報配信部は、前記付加情報の使用権限を有する前記ユーザーの前記受信装置のみに対して前記付加情報の配信を許可するように構成されていることを特徴とする。
【００２４】
本発明の第８のコンテンツ付加情報提供システムによれば、付加情報配信部は、付加情報の使用権限を有償化する等の手段を取ることができる。
【００２５】
上記課題を解決するために、本発明の第９のコンテンツ付加情報提供システムは、上述した本発明の第１ないし第８の何れかのコンテンツ付加情報提供システムにおいて、前記付加情報配信部は、前記付加情報表示制御部の前記詳細情報表示領域に表示すべき詳細情報として、前記コンテンツの所定のシーンの対象物についてのリンク情報を含む前記付加情報を前記受信装置へと配信することを特徴とする。
【００２６】
本発明の第９のコンテンツ付加情報提供システムによれば、受信装置では、詳細情報表示領域の詳細情報としてリンク情報を表示することができるため、視聴者は、このリンク情報へのアクセス操作をすることにより、即座に対象物についての情報を取得することができる。
【００２７】
上記課題を解決するために、本発明の第１０のコンテンツ付加情報提供システムは、上述した本発明の第１ないし第９の何れかのコンテンツ付加情報提供システムにおいて、前記付加情報表示制御部は、前記リンク情報を含む前記付加情報を前記詳細情報表示領域に詳細表示した場合に、前記リンク情報についてのアクセス操作がされたとき、該アクセス操作に関する操作情報を前記付加情報配信部へと送信し、前記付加情報配信部は、前記付加情報表示制御部から受信した前記操作情報を前記受信装置についてのログ情報として記憶することを特徴とする。
【００２８】
本発明の第１０のコンテンツ付加情報提供システムによれば、付加情報配信部では、受信装置又はそのユーザーについてのログ情報を解析して、各付加情報や各対象物に対する興味の程度を解析することができ、今後提供すべき付加情報の検討に役立てることができる。
【００２９】
上記課題を解決するために、本発明の第１１のコンテンツ付加情報提供システムは、上述した本発明の第１ないし第１０の何れかのコンテンツ付加情報提供システムにおいて、前記付加情報配信部は、前記コンテンツの全体情報を含む前記付加情報を前記受信装置へと配信し、前記付加情報表示制御部は、前記付加情報配信部から配信された前記付加情報に含まれる前記全体情報を全体情報表示画面に表示可能に構成されていることを特徴とする。
【００３０】
本発明の第１１のコンテンツ付加情報提供システムによれば、視聴者は、付加情報表示画面の操作によってコンテンツの全体情報を取得することができるので、視聴者の操作性を向上することができる。
【００３１】
上記課題を解決するために、本発明の第１２のコンテンツ付加情報提供システムは、上述した本発明の第１ないし第１１の何れかのコンテンツ付加情報提供システムにおいて、前記付加情報表示制御部は、前記付加情報配信部から配信された複数の前記付加情報のうち所定の分野に関する付加情報を一括情報表示領域に表示可能に構成されていることを特徴とする。
【００３２】
本発明の第１２のコンテンツ付加情報提供システムによれば、視聴者は、コンテンツの全てのシーンの視聴や全ての付加情報の確認をすることなく、興味のある分野の付加情報を確認することができる。
【００３３】
上記課題を解決するために、本発明の第１３のコンテンツ付加情報提供システムは、上述した本発明の第１ないし第１２の何れかのコンテンツ付加情報提供システムにおいて、前記付加情報配信部は、前記付加情報を配信するための配信ＡＰＩを備えていて、前記付加情報表示制御部からの前記配信ＡＰＩの呼出に応じて、前記付加情報を前記付加情報表示制御部へと配信することを特徴とする。
【００３４】
本発明の第１３のコンテンツ付加情報提供システムによれば、付加情報配信部は、受信装置において付加情報を取得するアプリケーションに対して、簡易に使用可能なインタフェースを提供することができるため、アプリケーション開発に貢献すると共に、コンテンツ付加情報提供システムの発展に貢献することができる。
【００３５】
上記課題を解決するために、本発明の第１４のコンテンツ付加情報提供システムは、上述した本発明の第１ないし第１３の何れかのコンテンツ付加情報提供システムにおいて、前記受信装置は、前記コンテンツとして動画を表示可能なコンテンツ表示領域を有する１つの表示端末として構成され、前記コンテンツ出力制御部及び前記付加情報表示制御部は、前記表示端末に設けられていることを特徴とする。
【００３６】
本発明の第１４のコンテンツ付加情報提供システムによれば、視聴者は、一つの受信装置だけでコンテンツと付加情報の提供を受けることができる。
【００３７】
上記課題を解決するために、本発明の第１５のコンテンツ付加情報提供システムは、上述した本発明の第１ないし第１３の何れかのコンテンツ付加情報提供システムにおいて、前記受信装置は、前記コンテンツとして動画を表示可能なコンテンツ表示領域を有する第１表示端末と、前記第１表示端末と通信可能な第２表示端末とを有して構成され、前記コンテンツ出力制御部は、前記第１表示端末に設けられ、前記付加情報表示制御部は、第２表示端末に設けられることを特徴とする。
【００３８】
本発明の第１５のコンテンツ付加情報提供システムによれば、視聴者は、コンテンツの視聴をするための専用機器である第１表示端末でコンテンツを視聴すると共に、タブレット、スマートフォンや携帯電話端末等のように視聴者が手元で操作し易い第２表示端末で付加情報を利用することができる。
【発明の効果】
【００３９】
本発明によれば、コンテンツの提供と共に、コンテンツの各シーンに登場する対象物の詳細な情報を提供することにより、情報提供のコスト及び負担を軽減すると共に、視聴者に十分な情報を提供することが可能となる。
【図面の簡単な説明】
【００４０】
【図１】本発明の一実施形態に係るコンテンツ付加情報提供システムの概要を示すブロック図である。
【図２】本発明の一実施形態に係るコンテンツ付加情報提供システムにおける受信装置で表示されるコンテンツ再生画面及びメタ情報表示画面を示す正面図である。
【図３】本発明の一実施形態に係るコンテンツ付加情報提供システムの動作を示すタイミングチャートである。
【発明を実施するための形態】
【００４１】
先ず、図１を参照しながら、コンテンツの配信に伴ってコンテンツの付加情報（メタ情報）を提供するコンテンツ付加情報提供システム１の構成を説明する。
【００４２】
図１に示されるように、コンテンツ付加情報提供システム１では、コンテンツ配信サーバ２及びメタ情報配信サーバ３が、インターネット等の所定のネットワーク４を介して受信装置５、６と接続してコンテンツ及びメタ情報をそれぞれ配信するように構成されている。更に、メタ情報配信サーバ３は、電子商取引（ＥＣ：Ｅｌｅｃｔｒｉｃ  Ｃｏｍｍｅｒｃｅ）サーバ７や広告配信サーバ８からＥＣサイトや広告主サイトへのリンク情報を取得することができる。
【００４３】
なお、図１では、コンテンツ付加情報提供システム１において、コンテンツ配信サーバ２、メタ情報配信サーバ３、ＥＣサーバ７及び広告配信サーバ８がそれぞれ１つずつ備えられ、２つの受信装置５、６が備えられる例を示しているが、これらは必要に応じて複数備えられてよい。また、本実施形態では、コンテンツ配信部１０を備えたコンテンツ配信サーバ２とメタ情報配信部１２を備えたメタ情報配信サーバ３とが、それぞれ独立したサーバとして構成されているが、コンテンツ配信部１０によるコンテンツの配信と、メタ情報配信部１２によるメタ情報の配信とがそれぞれ独立して行われるように構成されていれば、コンテンツ配信部１０とメタ情報配信部１２とは１つのサーバに備えられて構成されてもよい。
【００４４】
次に、コンテンツ配信サーバ２について詳細に説明する。
【００４５】
コンテンツ配信サーバ２は、コンテンツを配信するように構成され、例えば、コンテンツ配信部１０と、コンテンツ記憶部１１とを備える。コンテンツ記憶部１１は、コンテンツ配信部１０によって配信されるコンテンツを予め記憶している。
【００４６】
コンテンツ配信部１０は、本実施形態では、受信装置５、６からのコンテンツ配信要求に応じて、コンテンツ記憶部１１から放送番組の動画のコンテンツを取得すると共に、プログレッシブダウンロード方式を用いて受信装置５、６へとオンデマンド配信するように構成される。この放送番組は、コマーシャルメッセージを含んでいてもよい。
【００４７】
なお、コンテンツ配信部１０は、放送番組以外の他の動画や音楽等の他のコンテンツを配信するものでもよく、ストリーミング等の他の方式を用いてもよく、リアルタイム配信を行うものでもよい。
【００４８】
また、コンテンツ配信部１０は、外部のユーザー管理装置２５と連携するための管理用ＡＰＩ（Ａｐｐｌｉｃａｔｉｏｎ  Ｐｒｏｇｒａｍｉｎｇ  Ｉｎｔｅｒｆａｃｅ）を備えている。ユーザー管理装置２５は、所定のユーザー又は所定の受信装置５、６にコンテンツの視聴権限が付与されているか否かを判定して、その判定結果に基づいてユーザー又は受信装置５、６の視聴権限の認証を行う機能を有する。例えば、コンテンツ配信部１０は、受信装置５、６から受信装置５、６の又はユーザーの識別情報（ＩＤ：Ｉｄｅｎｔｉｆｉｃａｔｉｏｎ）を示すログイン要求を受信すると、管理用ＡＰＩを介してユーザー管理装置２５に接続して、このログイン要求に基づくコンテンツの視聴権限の判定及び認証をユーザー管理装置２５に行わせる。そして、コンテンツ配信部１０は、ユーザー管理装置２５から認証結果を受信して受信装置５、６へと返信する。コンテンツ配信部１０は、視聴権限を有するユーザー又は受信装置５、６からコンテンツ配信要求があった場合にのみコンテンツを配信するように構成されていてもよい。なお、複数のコンテンツについては、全てのコンテンツに対して一括して視聴権限を付与したり、一部のコンテンツに対して視聴権限を付与するように制御することもでき、また、年齢等のユーザー情報に基づいて視聴権限を制限することもできる。
【００４９】
次に、メタ情報サーバ３について詳細に説明する。
【００５０】
メタ情報サーバ３は、コンテンツのメタ情報を配信するように構成され、例えば、メタ情報配信部（付加情報配信部）１２と、メタ情報記憶部１３とを備える。メタ情報記憶部１３は、メタ情報配信部１２によって配信されるメタ情報を、対応するコンテンツと関連付けて予め記憶している。
【００５１】
メタ情報は、例えば、コンテンツの放送番組の全体的な概要を示す全体メタ情報（全体情報）と、コンテンツの任意のシーン毎に対応したシーン別メタ情報（シーン別情報）とを有する。メタ情報は、テキストデータで構成されていて、全体メタ情報を初めに格納すると共に、シーン別メタ情報を時系列で格納している。シーン別情報は、コンテンツの全再生時間に対する任意のシーンの再生時間に関連付けられてメタ情報記憶部１３に記憶されている。シーン別情報が関連付けられる再生時間は、瞬間的な時間でもよいが、所定の範囲の時間であるとよく、また、一の再生時間に対して複数のシーン別情報が関連付けられていてもよい。
【００５２】
全体情報は、コンテンツの放送局によって付加される情報であり、例えば、リアルタイムでデータ放送されるときに放送波に重畳される情報である。全体情報は、例えば、コンテンツの放送番組の放送局名、番組名、放送開始・終了時間、番組内容や主要出演人物を示す情報や、放送番組を紹介するホームページのリンク情報等を含む。
【００５３】
シーン別情報は、コンテンツの放送局又は第三者によるコンテンツの視聴及び解析などの処理によってシーン毎に抽出された情報である。シーン別情報は、例えば、コンテンツの放送番組の所定のシーンに登場する人物、キャラクター、商品、料理、楽曲、サービス、店舗、施設、企業、団体、イベント等の対象物についての簡易情報及び詳細情報を含む。シーン別情報は、シーンに実際に登場する対象物だけでなく、話題に上る対象物についての情報でもよい。
【００５４】
シーン別情報の簡易情報には、例えば、名前等の対象物を判断できる画像、テキスト等の情報がある。
【００５５】
シーン別情報の詳細情報には、例えば、対象物の紹介情報がある。また、シーン別情報の詳細情報には、例えば、商品、楽曲やサービスを購入するための販売先を示すＥＣサーバ７のＥＣサイトへのリンク情報や広告配信サーバ８から配信される広告主サイトへのリンク情報、その他の上記したシーンに登場するものを紹介するホームページのリンク情報がある。
【００５６】
また、シーン別情報の詳細情報には、店舗、企業やイベントへの問合せ先を示す電話番号等の問合せ情報がある。また、シーン別情報の詳細情報には、料理の調理手段方法や、シーンに登場するその他の創作物の創作手段、健康や家事等の生活情報のノウハウの実践手段を示す情報がある。
【００５７】
メタ情報配信部１２は、本実施形態では、受信装置５、６から呼び出し可能なメタ情報配信ＡＰＩ（Ａｐｐｌｉｃａｔｉｏｎ  Ｐｒｏｇｒａｍｉｎｇ  Ｉｎｔｅｒｆａｃｅ）を備えて、受信装置５、６から所定のコンテンツを指定したメタ情報配信ＡＰＩの呼び出しがあった場合に、その所定のコンテンツに関連するメタ情報をメタ情報記憶部１３から取得すると共に、ＷｅｂＳｏｃｋｅｔ方式を用いて受信装置５、６へとプッシュ配信するように構成される。
【００５８】
また、メタ情報配信部１２は、外部のユーザー管理装置２５と連携するための管理用ＡＰＩを備えている。ユーザー管理装置２５は、所定のユーザー又は所定の受信装置５、６にメタ情報の使用権限が付与されているか否かを判定して、その判定結果に基づいてユーザー又は受信装置５、６の使用権限の認証を行う機能を有する。例えば、メタ情報配信部１２は、受信装置５、６から受信装置５、６の又はユーザーのＩＤを示すログイン要求を受信すると、管理用ＡＰＩを介してユーザー管理装置２５に接続して、このログイン要求に基づくメタ情報の使用権限の判定及び認証をユーザー管理装置２５に行わせる。そして、コンテンツ配信部１０は、ユーザー管理装置２５から認証結果を受信して受信装置５、６へと返信する。メタ情報配信部１２は、使用権限を有するユーザー又は受信装置５、６からメタ情報配信ＡＰＩの呼び出しがあった場合にのみメタ情報を配信するように構成されていてもよい。なお、複数のメタ情報については、全てのメタ情報に対して一括して使用権限を付与したり、一部のメタ情報に対して使用権限を付与するように制御することもでき、また、年齢等のユーザー情報に基づいて使用権限を制限することもできる。
【００５９】
また、メタ情報サーバ３は、後述するように受信装置５、６におけるリンク情報のアクセス操作やシーン別情報の選択操作についての操作情報を受信装置５、６のメタ情報表示制御部１７、２１から受信すると、この操作情報を受信装置５、６又はそのユーザーについてのログ情報としてログ情報記憶部（図示せず）に記憶する。
【００６０】
次に、受信装置５、６について詳細に説明する。
【００６１】
受信装置５、６は、パーソナルコンピュータ、タブレット、スマートフォンや携帯電話端末等のように無線又は有線によってネットワーク４に接続可能な端末である。
【００６２】
受信装置５は、コンテンツの動画やメタ情報を表示するために１つの表示部１５を設けた１つの表示端末として構成されていて、コンテンツ出力制御部１６、メタ情報表示制御部１７（付加情報表示制御部）及び記憶部２２を備える。
【００６３】
受信装置６は、コンテンツの動画を表示する表示部１８を設けた第１表示端末６ａと、メタ情報を表示する表示部２０を設けた第２表示端末６ｂとからなり、第１表示端末６ａ及び第２表示端末６ｂは、赤外線、高周波の電磁波（ＲＦ）、Ｂｌｕｅｔｏｏｔｈ（登録商標）やＷｉＦｉ等の無線によって通信可能に接続される。第１表示端末６ａはコンテンツ出力制御部１９及び記憶部２３を備え、第２表示端末６ｂはメタ情報表示制御部２１及び記憶部２４を備える。
【００６４】
なお、コンテンツ付加情報提供システム１は、受信装置５及び受信装置６の何れを適用することもできる。
【００６５】
表示部１５、表示部１８及び表示部２０はそれぞれ同様に構成されるため、以下では表示部１５について説明し、表示部１８及び表示部２０の説明は省略する。また、コンテンツ出力制御部１６とコンテンツ出力制御部１９とはそれぞれ同様に構成され、メタ情報表示制御部１７とメタ情報表示制御部２１とはそれぞれ同様に構成されるため、以下ではコンテンツ出力制御部１６及びメタ情報表示制御部１７について説明し、コンテンツ出力制御部１９及びメタ情報表示制御部２１の説明は省略する。また、記憶部２２と、記憶部２３及び記憶部２４とは同様に構成されるため、以下では記憶部２２について説明し、記憶部２３及び記憶部２４の説明は省略する。
【００６６】
以下では、主に受信装置５の各部について詳細に説明する。
【００６７】
表示部１５は、動画や静止画を表示可能な表示器（ディスプレイ）であって、液晶や有機エレクトロルミネッセンス（有機ＥＬ）、発光ダイオード（ＬＥＤ）等の何れの表示デバイスを利用して構成されてもよい。
【００６８】
コンテンツ出力制御部１６は、受信装置５で実行されるプログラムやアプリケーション等のソフトウェアであり、コンテンツ配信サーバ２との通信によってコンテンツを取得すると共に、取得したコンテンツを表示部１５や音声出力部（図示せず）によって出力するように制御する。コンテンツ出力制御部１６は、自身がコンテンツを出力するアプリケーションとして構成されてもよく、受信装置５のブラウザその他のアプリケーションを利用してコンテンツを出力させるように構成されてもよい。
【００６９】
例えば、コンテンツ出力制御部１６は、視聴するコンテンツを選択するためのコンテンツ選択画面（図示せず）とコンテンツの動画を再生するためのコンテンツ再生画面３０（図２参照）とを切り換えて表示部１５に表示する。即ち、コンテンツ出力制御部１６は、コンテンツ選択画面及びコンテンツ再生画面３０で後述の表示が行われるように表示部１５を制御する。
【００７０】
コンテンツ選択画面やコンテンツ再生画面３０は、コンテンツの視聴権限の認証に係るログイン操作用のログイン画面（図示せず）を表示（例えば、ポップアップ表示）させるためのログインボタン３１を備えるとよい。このログイン画面を介したログイン操作では、コンテンツ出力制御部１６は、受信装置５又はユーザーのＩＤを示すログイン要求をコンテンツ配信サーバ２へと送信する。コンテンツ出力制御部１６は、例えば、初期画面としてコンテンツ選択画面を表示部１５に表示していて、ログイン操作によって視聴権限が認証された場合に、コンテンツ選択画面で選択されたコンテンツについてのコンテンツ再生画面３０を表示部１５に表示する。あるいは、コンテンツ出力制御部１６は、視聴権限が認証されたか否かに拘らず、コンテンツ選択画面でコンテンツが選択された場合にコンテンツ再生画面３０を表示部１５に表示して、視聴権限が認証された場合に、コンテンツ配信要求の送信やコンテンツの再生を許可するようにしてもよい。
【００７１】
コンテンツ出力制御部１６は、表示部１５のコンテンツ選択画面でのコンテンツの選択（図３のステップＳ１０１）に応じて、このコンテンツを指定してコンテンツ配信要求をコンテンツ配信サーバ２へと送信する（図３のステップＳ１０２）と共に、表示部１５をコンテンツ再生画面３０へと切り換える。そして、コンテンツ出力制御部１６は、このコンテンツをプログレッシブダウンロード方式でコンテンツ配信サーバ２から受信する（図３のステップＳ１０３）。また、コンテンツ出力制御部１６は、受信したコンテンツを記憶部２２に記憶し、表示部１５のコンテンツ再生画面３０や音声出力部に対してコンテンツを出力させる（図３のステップＳ１０４）。更に、コンテンツ出力制御部１６は、上記のコンテンツ配信要求の際、又はコンテンツの出力の際に、そのコンテンツを指定して出力開始通知をメタ情報表示制御部１７へと送信する。
【００７２】
コンテンツ再生画面３０は、図２に示されるように、コンテンツのタイトルを表示するタイトル表示３２と、コンテンツの動画を表示するコンテンツ表示領域３３と、コンテンツの再生及び一時停止を操作するための再生ボタン３４と、コンテンツの再生位置（再生時間）を変更するためのシークバー３５、コンテンツの再生時間を表示する再生時間表示３６と、コンテンツの出力音量を変更するための音量変更ボタン３７と、コンテンツ表示領域３３のサイズを変更するためのサイズ変更ボタン３８と、を有する。
【００７３】
なお、コンテンツ出力制御部１６は、コンテンツ再生画面３０における再生ボタン３４による再生操作や、シークバー３５による再生位置変更操作に応じて、コンテンツの再生開始時間が変更された場合、その再生開始時間に対応したコンテンツのシーンを記憶部２２から取得して、表示部１５のコンテンツ再生画面３０や音声出力部に対して取得したシーンからのコンテンツ出力を指示する。このとき、コンテンツ出力制御部１６は、そのコンテンツ及び変更された再生開始時間を指定して出力時間変更通知をメタ情報表示制御部１７へと送信する。また、コンテンツ出力制御部１６は、コンテンツ再生画面３０におけるコンテンツの一時停止操作や停止操作に応じて、出力停止通知をメタ情報表示制御部１７へと送信する。
【００７４】
メタ情報表示制御部１７は、受信装置５で実行されるプログラムやアプリケーション等のソフトウェアであり、メタ情報サーバ３との通信によってメタ情報を取得すると共に、取得したメタ情報を表示部１５によって表示するように制御する。メタ情報表示制御部１７は、自身がメタ情報を表示するアプリケーションとして構成されてもよく、受信装置５のブラウザその他のアプリケーションを利用してメタ情報を表示させるように構成されてもよい。
【００７５】
例えば、メタ情報表示制御部１７は、メタ情報を表示するためのメタ情報表示画面４０（付加情報表示画面）（図２参照）を表示部１５に表示する。即ち、メタ情報表示制御部１７は、メタ情報表示画面４０で後述の表示が行われるように表示部１５を制御する。
【００７６】
メタ情報表示制御部１７は、コンテンツ出力制御部１６から出力開始通知を受信すると、メタ情報配信サーバ３のメタ情報配信部１２に対して、出力開始通知が示すコンテンツを指定したメタ情報配信ＡＰＩの呼び出しを行う（図３のステップＳ１０５）。そして、メタ情報表示制御部１７は、コンテンツ出力制御部１６で出力されるコンテンツに関連する全体情報やシーン別情報等のメタ情報をＷｅｂＳｏｃｋｅｔ方式でメタ情報配信サーバ３から受信する（図３のステップＳ１０６）。また、メタ情報表示制御部１７は、受信したメタ情報を記憶部２２に記憶し、表示部１５のメタ情報表示画面４０に対してメタ情報を表示させる（図３のステップＳ１０７）。
【００７７】
なお、メタ情報表示制御部１７は、コンテンツ出力制御部１６から出力時間変更通知を受信すると、コンテンツ出力制御部１６によるコンテンツの出力に同期して、表示部１５のメタ情報表示画面４０のタイムライン表示領域４６（図２参照）におけるメタ情報の表示を更新する。例えば、メタ情報表示制御部１７は、この出力時間変更通知が示すコンテンツの再生開始時間以前のメタ情報を記憶部２２から取得して、表示部１５のメタ情報表示画面４０に対して取得したメタ情報を表示させる。
【００７８】
また、メタ情報表示制御部１７は、コンテンツ出力制御部１６に対してコンテンツの再生、一時停止、停止、早送り及び巻き戻し等の出力操作を指示するリンク操作部（図示せず）を備える。なお、受信装置６の第２表示端末６ｂに備わるメタ情報表示制御部２１は、リンク操作部がコンテンツの出力操作を通信によって第１表示端末へ送信するように構成される。
【００７９】
メタ情報表示画面４０は、メタ情報の使用権限の認証に係るログイン操作用のログイン画面（図示せず）を表示（例えば、ポップアップ表示）させるためのログインボタン４１を備えるとよい。このログイン画面を介したログイン操作では、受信装置５とメタ情報サーバ３との通信においてメタ情報サーバ３がメタ情報の使用権限を判定し、ログインに成功すると、メタ情報サーバ３が受信装置５のメタ情報の使用権限を認証する。メタ情報表示制御部１７は、例えば、初期画面ではログインボタン４１を有するツールバー４２のみを表示部１５に表示していて、ログイン操作によって使用権限が認証された場合に、メタ情報表示画面４０の全体を表示部１５に表示する。また、メタ情報表示制御部１７は、ログイン操作によって使用権限が認証された場合に、メタ情報表示画面４０の全体の表示／非表示を切り換える切換ボタン４３をツールバー４２に表示する。
【００８０】
メタ情報表示画面４０は、図２に示されるように、コンテンツ操作部４４と、メタ情報表示ボタン４５と、タイムライン表示領域４６と、詳細情報表示領域４７と、チェックリスト表示ボタン４８と、一括情報選択ボタン４９と、一括情報表示領域５０と、を有する。
【００８１】
コンテンツ操作部４４は、コンテンツ出力制御部１６によってコンテンツ再生画面３０に出力されるコンテンツに対する再生、一時停止、停止、早送り及び巻き戻し等の操作を受け付けるものである。コンテンツ操作部４４の操作に応じて、メタ情報表示制御部１７のリンク操作部（図示せず）がコンテンツ出力制御部１６に対してコンテンツの出力制御を指示する。
【００８２】
コンテンツ操作部４４は、例えば、コンテンツ再生画面３０とメタ情報表示画面４０とが一画面で表示される場合には非表示に切り換えられ、別画面で表示される場合（例えば、受信装置５の表示部１５によってマルチウインドウで表示される場合や、第１表示端末６ａ及び第２表示端末６ｂからなる受信装置６によって表示される場合）には表示に切り換えられるように構成されてよい。
【００８３】
メタ情報表示ボタン４５は、コンテンツ出力制御部１６によって出力されるコンテンツの全体情報の表示／非表示を切り換えるもので、例えば、表示に切り換えた場合には、全体情報を表示した全体情報表示画面５５がポップアップ表示され、非表示に切り換えた場合には、この全体情報表示画面が閉じられる。なお、メタ情報表示制御部１７は、コンテンツ出力制御部１６側でコンテンツが選択されている場合に、全体情報を表示可能にする。
【００８４】
タイムライン表示領域４６は、コンテンツ出力制御部１６によって出力されるコンテンツの再生時間に対応したシーン別情報５１、５２を時系列順に縦方向に並べて表示する領域である。なお、メタ情報表示制御部１７は、コンテンツ出力制御部１６側でコンテンツが選択されている場合に、シーン別情報５１、５２を表示可能にする。
【００８５】
タイムライン表示領域４６は、コンテンツ出力制御部によるコンテンツの所定のシーンの出力に同期して、この所定のシーンに対応する所定のシーン別情報５１、５２の簡易情報を、そのシーンの再生時間と共に現在位置（例えば、最上段）に簡易表示する。タイムライン表示領域４６は、コンテンツの現在の再生時間のシーンに対応するシーン別情報が無い場合でも、それ以前に存在する最新のシーン別情報５１を現在位置（例えば、最上段）に簡易表示すると共に、それ以前のシーン別情報５２を現在位置から繰り下げて順次簡易表示する。タイムライン表示領域４６は、スクロールバー（図示せず）を備えて、複数のシーン別情報５１、５２の内、所定数のシーン別情報５１、５２のみを表示するように構成されてよい。
【００８６】
また、メタ情報表示制御部１７は、タイムライン表示領域４６の現在位置に表示される最新のシーン別情報５１の詳細情報を、そのシーンの再生時間と共に詳細情報表示領域４７でも詳細表示する。
【００８７】
詳細情報表示領域４７は、詳細表示するシーン別情報５１の詳細情報が、対応するシーンの対象物についてのＥＣサイト、広告主サイト又はその他ホームページへのリンク情報を含んでいる場合、そのリンク情報をクリック操作等でのアクセス操作可能に表示する。
【００８８】
メタ情報表示制御部１７は、詳細情報表示領域４７に表示されたリンク情報のアクセス操作があった場合（図３のステップＳ１０８、Ｓ１１０）には、受信装置５がＥＣサーバ７や広告配信サイト８に接続して（図３のステップＳ１０９、Ｓ１１１）、ＥＣサイトや広告主サイトのページを取得して表示部１５に表示させる。また、メタ情報表示制御部１７は、詳細情報表示領域４７におけるリンク情報のアクセス操作がされたとき、このアクセス操作に関する操作情報をメタ情報配信サーバ３へと送信する。この操作情報は、例えば、アクセス操作されたシーン別情報５１の対象物の名前等を含む。
【００８９】
また、メタ情報表示制御部１７は、タイムライン表示領域４６の各シーン別情報５１、５２をクリック等の選択操作を受け付けるように表示していて、選択されたシーン別情報５１、５２を再表示のために記憶部２２におけるチェックリスト登録部（図示せず）に登録する。例えば、タイムライン表示領域４６の各シーン別情報５１、５２には、チェックボックス５３、５４が付されていて、選択及び登録されたシーン別情報５１のチェックボックス５３にはチェックマークが表示され、また、選択及び登録されていないシーン別情報５２のチェックボックス５４には何も表示されない。
【００９０】
メタ情報表示制御部１７は、シーン別情報５１、５２のチェックリスト登録部への選択操作がされたとき、この選択操作に関する操作情報をメタ情報配信サーバ３へと送信する。この操作情報は、例えば、選択操作されたシーン別情報５１、５２の対象物の名前等を含む。
【００９１】
チェックリスト表示ボタン４８は、チェックリスト登録部に登録されたシーン別情報５１、５２のチェックリストの表示／非表示を切り換えるもので、例えば、表示に切り換えた場合には、シーン別情報５１、５２を対応するシーンの再生時間と共に表示したチェックリスト表示画面５６がポップアップ表示され、非表示に切り換えた場合には、このチェックリスト表示画面が閉じられる。
【００９２】
一括情報選択ボタン４９は、所定のテーマ（分野）に沿ったシーン別情報の一括表示を選択するもので、例えば、ファッション、ショップ、場所、トリビア等の、様々なテーマ毎に設けられる。所定のテーマの一括情報選択ボタン４９が操作されると、コンテンツの全てのシーン別情報の内、又はコンテンツの現在の再生時間以前に存在するシーン別情報の内、所定のテーマに対応するシーン別情報を再生時間と共に一括して一括情報表示領域５０に簡易表示する。一括情報表示領域５０で表示されたシーン別情報をクリック操作等で選択することで、そのシーン別情報に対応する再生時間のシーンからコンテンツを再生するように、メタ情報表示制御部１７がリンク操作部を制御してもよい。
【００９３】
ＥＣサーバ７は、商品、楽曲やサービス等の対象物をネットワーク４を介して販売するためのＥＣサイトを運営している。ＥＣサーバ７は、このＥＣサイトへのリンク情報をアフィリエイトによってメタ情報配信サーバ３やその他の外部機器に提供していて、リンク情報を介してＥＣサイトへアクセスすると共に商品等の購入が発生した場合に、リンク情報の提供先のメタ情報配信サーバ３等に成功報酬を支払うように構成されていてよい。
【００９４】
広告配信サーバ８は、対象物の広告主サイトへのリンク情報をアフィリエイトによってメタ情報配信サーバ３やその他の外部機器に提供していて、提供したリンク情報を介して広告主サイトへアクセスすると共にアフィリエイトにおける条件を達成した場合に、リンク情報の提供先のメタ情報配信サーバ３等に成功報酬を支払うように構成されていてよい。
【００９５】
本実施形態では、上述のように、所定のネットワーク４を介してユーザーの受信装置５、６にコンテンツのメタ情報（付加情報）を提供するコンテンツ付加情報提供システム１は、コンテンツ配信部１０を備えたコンテンツ配信サーバ２と、メタ情報配信部１２を備えたメタ情報配信サーバ３と、を備える。コンテンツ配信部１０は、所定のネットワーク４を介して受信装置５、６と接続して、コンテンツを受信装置５、６へと配信するように構成されている。メタ情報配信部１２は、所定のネットワーク４を介して受信装置５、６と接続して、コンテンツの任意のシーン毎に対応したメタ情報を、コンテンツ配信部１０によるコンテンツの配信から独立して受信装置５、６へと配信するように構成されている。受信装置５、６は、コンテンツ配信部１０から配信されるコンテンツを出力させるコンテンツ出力制御部１６、１９と、メタ情報配信部１２から配信されるメタ情報をメタ情報表示画面４０に表示させるメタ情報表示制御部１７、２１と、を備える。そして、メタ情報表示制御部１７、２１は、メタ情報配信部１２から配信された１つ以上のメタ情報（シーン別情報）を時系列順に並べてメタ情報表示画面４０におけるタイムライン表示領域４６に簡易表示させていて、更に、コンテンツ出力制御部１６、１９によるコンテンツの所定のシーンの出力に同期して、この所定のシーンに対応する所定のシーン別情報をタイムライン表示領域４６上の現在位置に簡易表示させると共に、この所定のシーン別情報をメタ情報表示画面４０における詳細情報表示領域４７に詳細表示させる。
【００９６】
このような構成により、本実施形態によれば、コンテンツ配信サーバ２のコンテンツ配信部１０でコンテンツを提供すると共に、メタ情報配信サーバ３のメタ情報配信部１２で、コンテンツの全体的な情報に加えて、コンテンツの各シーンに登場する対象物の詳細な情報を提供することができる。このため、対象物の提供者は、簡易な手段で対象物の情報提供をすることができるので、情報提供のコスト及び負担を軽減することができる。また、視聴者は、受信装置５、６でコンテンツを視聴しながら、メタ情報表示画面４０でコンテンツの各シーンの対象物について詳細な情報を取得できるので、視聴者に十分な情報を提供できることになる。
【００９７】
また、本実施形態によれば、メタ情報表示制御部１７、２１は、タイムライン表示領域４６においてシーン別情報を選択可能に表示すると共に、選択されたシーン別情報をチェックリスト登録部に登録し、更に、チェックリスト登録部に登録されたシーン別情報をメタ情報表示画面４０におけるチェックリスト表示画面に表示可能に構成されている。
【００９８】
このような構成により、視聴者は、コンテンツにおいて興味のあるシーンや対象物がある場合に、そのシーン別情報を登録しておき、その後、チェックリスト表示画面で興味のあるシーン別情報を確認することができる。
【００９９】
また、本実施形態によれば、メタ情報表示制御部１７、２１は、コンテンツ出力制御部１６、１９に対してコンテンツの出力操作を指示可能に構成されている。更に、メタ情報表示制御部１７、２１は、チェックリスト表示画面に表示されたシーン別情報を選択可能に構成されていて、チェックリスト表示画面で選択されたシーン別情報に対応する所定のシーンからコンテンツの出力を開始するように、コンテンツ出力制御部１６、１９に対してコンテンツの出力操作を指示するように構成されている。
【０１００】
このような構成により、視聴者は、チェックリスト表示画面で興味のあるシーン別情報を確認したときに、そのシーン別情報に対応するシーンを再生して再視聴することができる。
【０１０１】
また、本実施形態によれば、メタ情報表示制御部１７、２１は、タイムライン表示領域４６におけるシーン別情報の選択操作がされたとき、この選択操作に関する操作情報をメタ情報配信部１２へと送信する。メタ情報配信部１２は、メタ情報表示制御部１７、２１から受信した操作情報を受信装置５、６についてのログ情報として記憶する。
【０１０２】
このような構成により、メタ情報配信サーバ３では、受信装置５、６又はそのユーザーについてのログ情報を解析して、各メタ情報や各対象物に対する興味の程度を解析することができ、今後提供すべきメタ情報の検討に役立てることができる。
【０１０３】
また、本実施形態によれば、メタ情報表示制御部１７、２１は、コンテンツ出力制御部１６、１９に対してコンテンツの出力操作を指示可能に構成されている。
【０１０４】
このような構成により、受信装置５、６では、メタ情報表示画面４０で表示されるメタ情報の操作に連動してコンテンツの出力を制御することができるので、視聴者の操作性を向上することができる。
【０１０５】
また、本実施形態によれば、コンテンツ出力制御部１６、１９は、コンテンツの出力開始時間の変更を示す出力時間変更通知をメタ情報表示制御部１７、２１へと送信可能に構成されている。メタ情報表示制御部１７、２１は、コンテンツ出力制御部１６、１９から出力時間変更通知を受信したとき、コンテンツ出力制御部１６、１９によるコンテンツの出力に同期して、タイムライン表示領域４６におけるシーン別情報の表示を更新するように構成されている。
【０１０６】
このような構成により、受信装置５、６のメタ情報表示画面４０は、コンテンツ出力制御部１６、１９側でのコンテンツ出力に連動してメタ情報の表示をすることができるので、視聴者の操作性を向上することができる。
【０１０７】
また、本実施形態によれば、メタ情報表示制御部１７、２１は、メタ情報の表示及び非表示を切り替え可能に構成されている。
【０１０８】
このような構成により、視聴者がメタ情報を得たい場合やコンテンツの視聴に集中したい場合等の視聴者の意図によって、メタ情報の表示及び非表示を切り換えることができるので、視聴者の操作性を向上することができる。
【０１０９】
また、本実施形態によれば、メタ情報配信部１２は、メタ情報の使用権限を有するユーザーの受信装置５、６のみに対してメタ情報の配信を許可するように構成されている。
【０１１０】
このような構成により、メタ情報配信サーバ３は、メタ情報の使用権限を有償化する等の手段を取ることができる。
【０１１１】
また、本実施形態によれば、メタ情報配信部１２は、メタ情報表示制御部１７、２１の詳細情報表示領域４７に表示すべき詳細情報として、コンテンツの所定のシーンの対象物についてのリンク情報を含むシーン別情報を受信装置５、６へと配信するように構成される。
【０１１２】
このような構成により、受信装置５、６では、詳細情報表示領域４７の詳細情報としてリンク情報を表示することができるため、視聴者は、このリンク情報へのアクセス操作をすることにより、即座に対象物についての情報を取得することができる。
【０１１３】
また、本実施形態によれば、メタ情報表示制御部１７、２１は、リンク情報を含むシーン別情報を詳細情報表示領域４７に詳細表示した場合に、リンク情報についてのアクセス操作がされたとき、このアクセス操作に関する操作情報をメタ情報配信部１２へと送信する。メタ情報配信部１２は、メタ情報表示制御部１７、２１から受信した操作情報を受信装置５、６についてのログ情報として記憶する。
【０１１４】
このような構成により、メタ情報配信サーバ３では、受信装置５、６又はそのユーザーについてのログ情報を解析して、各メタ情報や各対象物に対する興味の程度を解析することができ、今後提供すべきメタ情報の検討に役立てることができる。
【０１１５】
また、本実施形態によれば、メタ情報配信部１２は、コンテンツの全体情報を含むメタ情報を受信装置５、６へと配信する。メタ情報表示制御部１７、２１は、メタ情報配信部１２から配信されたメタ情報に含まれる全体情報を全体情報表示画面に表示可能に構成されている。
【０１１６】
このような構成により、視聴者は、メタ情報表示画面４０の操作によってコンテンツの全体情報を取得することができるので、視聴者の操作性を向上することができる。
【０１１７】
また、本実施形態によれば、メタ情報表示制御部１７、２１は、メタ情報配信部１２から配信された複数のシーン別情報のうち所定の分野に関するシーン別情報を一括情報表示領域５０に表示可能に構成されている。
【０１１８】
このような構成により、視聴者は、コンテンツの全てのシーンの視聴や全てのシーン別情報の確認をすることなく、興味のある分野のシーン別情報を確認することができる。
【０１１９】
また、本実施形態によれば、メタ情報配信部１２は、メタ情報を配信するための配信ＡＰＩを備えていて、メタ情報表示制御部１７、２１からの配信ＡＰＩの呼出に応じて、メタ情報をメタ情報表示制御部１７、２１へと配信するように構成されている。
【０１２０】
このような構成により、メタ情報配信サーバ３は、受信装置５、６においてメタ情報を取得するアプリケーションに対して、簡易に使用可能なインタフェースを提供することができるため、アプリケーション開発に貢献すると共に、コンテンツ付加情報提供システム１の発展に貢献することができる。
【０１２１】
また、本実施形態によれば、受信装置５は、コンテンツとして動画を表示可能なコンテンツ表示領域３３を有する１つの表示端末として構成されていて、コンテンツ出力制御部１６及びメタ情報表示制御部１７は、この表示端末に設けられている。
【０１２２】
このような構成により、視聴者は、一つの受信装置５だけでコンテンツとメタ情報の提供を受けることができる。
【０１２３】
また、本実施形態によれば、受信装置６は、コンテンツとして動画を表示可能なコンテンツ表示領域３３を有する第１表示端末６ａと、第１表示端末６ａと通信可能な第２表示端末６ｂとを有して構成されている。そして、コンテンツ出力制御部１９は、第１表示端末６ａに設けられている。また、メタ情報表示制御部２１は、第２表示端末６ｂに設けられている。
【０１２４】
このような構成により、視聴者は、コンテンツの視聴をするための専用機器である第１表示端末６ａでコンテンツを視聴すると共に、タブレット、スマートフォンや携帯電話端末等のように視聴者が手元で操作し易い第２表示端末６ｂでメタ情報を利用することができる。
【０１２５】
本実施形態では、タイムライン表示領域４６にシーン別情報５１、５２の簡易情報を表示する構成について説明したが、タイムライン表示領域４６に表示される情報はシーン別情報５１、５２に限定されない。例えば、他の実施形態では、広告コンテンツやその他の情報をタイムライン表示領域４６に表示するように構成しても良い。
【０１２６】
また、本実施形態では、外部のユーザー管理装置２５がコンテンツの視聴権限やメタ情報の使用権限の判定及び認証を行う構成について説明したが、これに限定されない。例えば、他の実施形態では、コンテンツ配信部１０及びメタ情報配信部１２がそれぞれコンテンツの視聴権限及びメタ情報の使用権限の判定及び認証を行うように構成しても良く、又は、コンテンツ配信部１０及びメタ情報配信部１２の何れか一方がコンテンツの視聴権限及びメタ情報の使用権限の判定及び認証を行うように構成しても良い。あるいは、異なる他の実施形態では、コンテンツ付加情報提供システム１は、コンテンツの視聴権限やメタ情報の使用権限の判定及び認証を行うことなく、コンテンツ及びメタ情報を提供するように構成されてもよい。
【符号の説明】
【０１２７】
１  コンテンツ付加情報提供システム
２  コンテンツ配信サーバ
３  メタ情報配信サーバ
４  ネットワーク
５、６  受信装置
７  電子商取引サーバ
８  広告配信サーバ
１０  コンテンツ配信部
１１  コンテンツ記憶部
１２  メタ情報配信部（付加情報配信部）
１３  メタ情報記憶部
１５、１８、２０  表示部
１６、１９  コンテンツ出力制御部
１７、２１  メタ情報表示制御部（付加情報表示制御部）
３０  コンテンツ再生画面
３３  コンテンツ表示領域
４０  メタ情報表示画面（付加情報表示画面）
４１  ログインボタン
４３  切換ボタン
４４  コンテンツ操作部
４５  メタ情報表示ボタン
４６  タイムライン表示領域
４７  詳細情報表示領域
４８  チェックリスト表示ボタン
４９  一括情報選択ボタン
５０  一括情報表示領域
５１、５２  シーン別情報
【図１】
0005852171.tif 000002
【図２】
0005852171.tif 000003
【図３】
0005852171.tif 000004